(57)【要約】【課題】質問者からの質問を送信する地域を柔軟に設定できる地域情報提供方法、サーバ装置、及び同装置のプログラムを提供すること。【解決手段】  他の端末装置からの質問に対する受付時間、質問の内容及び質問を受付ける地域に関する条件うち少なくともいずれか一つの条件の情報を記憶する条件情報記憶手段と、一の端末装置から所望の地域に関する質問を受信したとき、所望の地域に位置する他の端末装置のうち条件情報記憶手段に記憶した条件を満たす端末装置に対して質問を送信する質問処理手段と、質問に対する他の端末装置からの回答を一の端末装置へ送信する回答処理手段とを有するサーバ装置を介して、複数の端末装置間で、所望の地域に関する質問とその回答の送受信を行う。【選択図】図３
2009088711.tif 000002
【特許請求の範囲】
【請求項１】
複数の端末装置と通信網を介して接続されたサーバ装置において、
各前記端末装置の位置の情報を前記通信網を介して各前記端末装置から定期的に取得する取得手段と、
前記取得手段により取得した位置の情報に基づいて、各前記端末装置が位置する地域を判定する判定手段と、
他の端末装置からの質問に対する受付時間、前記質問の内容及び前記質問の地域に関する条件うち少なくともいずれか一つの条件の情報を記憶する条件情報記憶手段と、
一の前記端末装置から所望の地域に関する質問を受信したとき、前記所望の地域に位置する他の前記端末装置のうち前記条件情報記憶手段に記憶した条件を満たす端末装置に対して前記質問を送信する質問処理手段と、
前記質問に対する前記他の端末装置からの回答を受信したとき、この回答を前記一の端末装置へ送信する回答処理手段と、を備えた
ことを特徴とするサーバ装置。
【請求項２】
前記一の端末装置から送信される質問には、前記所望の地域を特定するエリア情報が含まれており、
前記質問処理手段は、前記エリア情報に基づいて前記所望の地域を決定する
ことを特徴とする請求項１に記載のサーバ装置。
【請求項３】
前記質問処理手段は、前記質問の送信先である前記他の端末装置の数を、前記質問を送信した前記一の端末装置へ通知する
ことを特徴とする請求項１又は請求項２に記載のサーバ装置。
【請求項４】
前記回答処理手段は、予め設定された時間内に受信した回答を、前記質問を送信した前記一の端末装置へ送信する
ことを特徴とする請求項１〜３のいずれか１項に記載のサーバ装置。
【請求項５】
前記質問処理手段は、前記一の端末装置から受信した質問の内容を所定のサーバ装置に送信し、前記所定のサーバ装置に記憶した前記質問の閲覧先情報を前記他の端末装置へ送信することによって前記質問の送信を行い、
前記回答処理手段は、前記他の端末装置から前記質問に対する回答を受信した前記所定のサーバ装置から通知される前記質問に対する回答の閲覧先情報を受信したとき、前記回答の閲覧先情報を前記一の端末装置へ送信することによって前記回答の送信を行う
ことを特徴とする請求項１〜４のいずれか１項に記載のサーバ装置。
【請求項６】
コンピュータを、請求項１〜５のいずれか１項に記載のサーバ装置の各手段として機能させるプログラム。
【請求項７】
複数の端末装置間で所望の地域に関する質問とその回答の送受信を、通信網に接続されたサーバ装置を介して行う地域情報提供方法であって、
各前記端末装置が、自装置の位置の情報を送信するステップと、
前記サーバ装置が、各前記端末装置の位置の情報を取得するステップと、
前記サーバ装置が、前記取得した位置の情報に基づいて、各前記端末装置の位置する地域を判定するステップと、
前記サーバ装置が、他の端末装置からの質問に対する受付時間、前記質問の内容及び前記質問の地域に関する条件うち少なくともいずれか一つの条件の情報を記憶手段に記憶するステップと、
一の前記端末装置が、所望の地域に関する質問を前記サーバ装置に送信するステップと、
前記サーバ装置が、前記一の端末装置から前記所望の地域に関する質問を受信したとき、前記所望の地域に位置する他の端末装置のうち前記記憶手段に記憶した条件を満たす端末装置へ前記質問を送信するステップと、
前記他の端末装置が、前記サーバ装置から質問を受信するステップと、
前記他の端末装置が、前記受信した質問に対する回答を送信するステップと、
前記サーバ装置が、前記他の端末装置から受信した前記質問に対する回答を前記一の端末装置へ送信するステップと、を有する地域情報提供方法。
【発明の詳細な説明】
【技術分野】
【０００１】
本発明は、地域情報提供方法、サーバ装置、及び同装置のプログラムに関するものであり、特に、複数の端末装置間で所望の地域に関する質問とその回答の送受信を、通信網に接続されたサーバ装置を介して行う地域情報提供方法、前記質問及びその回答を中継するサーバ装置、及び同サーバ装置の動作プログラムに関するものである。
【背景技術】
【０００２】
ある特定の地域の現在の情報を知りたいという要望は多々ある。例えば、旅先等で、その地域の施設や店舗の混雑具合等の情報を知りたいと考えることはよくある。
【０００３】
このような要望に応えることのできる情報提供システムとして、例えば、特許文献１には、携帯電話機やＰＤＡ（Personal Digital Assistants）等の複数の端末装置間で所望の地域に関する質問とその回答の送受信を、通信網に接続されたシステムサーバを介して行う技術が開示されている。
【０００４】
この情報提供システムは、複数の端末装置と、基地局と、システムサーバとからなり、たとえば、この情報提供システムのユーザが、ある地域に関する情報がほしい時、その地域のエリア情報を指定して自身の端末装置からシステムサーバへ質問メールを送信する。
【０００５】
システムサーバは、ユーザからの質問メールを受信したとき、指定された地域にある基地局と通信可能なユーザの端末装置に対して受信した質問メールを送信する。
【０００６】
質問メールを受信したユーザから、その質問メールに対する回答メールが返信された時、システムサーバはその回答メールを、質問メールを送信したユーザの端末装置に送信する。
【０００７】
このように、特許文献１に記載の情報提供システムでは、質問メールの送信元のユーザに回答メールを送信することによって、ある特定の地域に関する現在の情報を知りたいというユーザの要望に応えている。
【特許文献１】特開２００５−１９１９１１号公報
【発明の開示】
【発明が解決しようとする課題】
【０００８】
ところが、上記従来の情報提供システムでは、システムサーバが質問メールを送信する地域が、基地局と通信可能な地域単位で区切られることから、質問者からの質問を送信する地域を柔軟に設定できないという問題があった。
【０００９】
そこで、本発明では、質問者からの質問を送信する地域を柔軟に設定できる地域情報提供方法、サーバ装置、及び同装置のプログラムを提供することを目的とする。
【課題を解決するための手段】
【００１０】
請求項１に係る本発明では、複数の端末装置と通信網を介して接続されたサーバ装置において、各端末装置の位置の情報を通信網を介して各端末装置から定期的に取得する取得手段と、取得手段により取得した位置の情報に基づいて、各端末装置が位置する地域を判定する判定手段と、他の端末装置からの質問に対する受付時間、質問の内容及び質問の地域に関する条件うち少なくともいずれか一つの条件の情報を記憶する条件情報記憶手段と、一の端末装置から所望の地域に関する質問を受信したとき、所望の地域に位置する他の端末装置のうち条件情報記憶手段に記憶した条件を満たす端末装置に対して質問を送信する質問処理手段と、質問に対する他の端末装置からの回答を受信したとき、この回答を一の端末装置へ送信する回答処理手段とを備えたことを特徴とする。
【００１１】
また、請求項２に係る本発明では、請求項１に記載のサーバ装置において、一の端末装置から送信される質問には、所望の地域を特定するエリア情報が含まれており、質問処理手段は、エリア情報に基づいて所望の地域を決定することを特徴とする。
【００１２】
また、請求項３に係る本発明では、請求項１又は請求項２に記載のサーバ装置において、質問処理手段は、質問の送信先である他の端末装置の数を、質問を送信した一の端末装置へ通知することを特徴とする。
【００１３】
また、請求項４に係る本発明では、請求項１〜３のいずれか１項に記載のサーバ装置において、回答処理手段は、予め設定された時間内に受信した回答を、質問を送信した一の端末装置へ送信することを特徴とする。
【００１４】
また、請求項５に係る本発明では、請求項１〜４のいずれか１項に記載のサーバ装置において、質問処理手段は、一の端末装置から受信した質問の内容を所定のサーバ装置に送信し、所定のサーバ装置に記憶した質問の閲覧先情報を他の端末装置へ送信することによって質問の送信を行い、回答処理手段は、他の端末装置から質問に対する回答を受信した所定のサーバ装置から通知される質問に対する回答の閲覧先情報を受信したとき、回答の閲覧先情報を一の端末装置へ送信することによって回答の送信を行う
ことを特徴とする。
【００１５】
また、請求項６に係る本発明では、コンピュータを、請求項１〜５のいずれか１項に記載のサーバ装置の各手段として機能させるプログラムを提供することとした。
【００１６】
また、請求項７に係る本発明では、複数の端末装置間で所望の地域に関する質問とその回答の送受信を、通信網に接続されたサーバ装置を介して行う地域情報提供方法であって、各端末装置が、自装置の位置の情報を送信するステップと、サーバ装置が、各端末装置の位置の情報を取得するステップと、サーバ装置が、取得した位置の情報に基づいて、各端末装置の位置する地域を判定するステップと、サーバ装置が、他の端末装置からの質問に対する受付時間、質問の内容及び質問の地域に関する条件うち少なくともいずれか一つの条件の情報を記憶手段に記憶するステップと、一の端末装置が、所望の地域に関する質問をサーバ装置に送信するステップと、サーバ装置が、一の端末装置から所望の地域に関する質問を受信したとき、所望の地域に位置する他の端末装置のうち記憶手段に記憶した条件を満たす端末装置へ質問を送信するステップと、他の端末装置が、サーバ装置から質問を受信するステップと、他の端末装置が、受信した質問に対する回答を送信するステップと、サーバ装置が、他の端末装置から受信した質問に対する回答を一の端末装置へ送信するステップとを有することとした。
【発明の効果】
【００１７】
請求項１、６、７に係る本発明によれば、端末装置の位置の情報を定期的に取得し、質問者の選択する所望の地域にいる端末装置を回答者とするので、従来技術のごとく、質問を送信する地域が基地局と通信可能な地域単位に限定されることがなく、質問者からの質問を送信する地域を柔軟に設定することができる。また、質問の受信を、質問の受付時間、質問の内容或いは質問を受付ける地域で制限することができるので、回答者側の利便性を向上させることができ、サービスへの参加を促すことができる。
【００１８】
また、請求項２に係る本発明によれば、サーバ装置が、質問に含まれるエリア情報に基づいて、質問を送信するエリアを決定することができるので、質問者が指定する地域に応じて柔軟に質問を送信するエリアを決定することができ、質問をより効率的に送信することができる。
【００１９】
また、請求項３に係る本発明によれば、質問がどれ位の人に通知されているのかを質問者に把握させることができるので、質問者は、返信される回答数の概算を容易に予測することができ、質問を送信してから回答を受信するまでの質問者の不安感を低減することができる。
【００２０】
また、請求項４に係る本発明によれば、サーバ装置が予め設定された時間を超えて端末装置から送信された回答については、その回答を質問者へ送信しないので、時期を逸した回答が質問者の端末装置へ送信されることを抑制することができる。
【００２１】
また、請求項５に係る本発明によれば、サーバ装置は、質問の内容と、質問及び回答の閲覧情報という比較的情報量の少ない情報だけを送受信するだけで済むため、当該サーバ装置の処理負荷を可及的に低減することができる。
【発明を実施するための最良の形態】
【００２２】
以下、本発明の一実施形態について、図面を参照して具体的に説明する。ここでは、複数の端末装置間で所望の地域に関する質問とその回答の送受信を、通信網に接続されたサーバ装置を介して行う地域情報提供システムに対して、本発明を適用した場合を例に挙げて説明する。
【００２３】
[１．地域情報提供システムの概要]
図１は、本実施形態に係る地域情報提供システムを示す説明図である。図１に示すように、本実施形態に係る地域情報提供システムＳは、複数のユーザａ、ｂ、ｃ（以下、特定のユーザではなく、当該地域情報提供システムＳを利用する任意のユーザを指す場合には、単に「ユーザ」という。）がそれぞれ所有する携帯用の端末装置２ａ、２ｂ、２ｃ（以下、特定の端末装置ではなく、当該地域情報提供システムＳにおける任意の端末装置を指す場合には、単に、「端末装置」という。）と、これら複数の端末装置と通信網を介して接続されたサーバ装置１とから構成される。
【００２４】
各端末装置は、最寄の無線基地局を介してインターネット等の通信網に接続可能に構成されている。また、サーバ装置１は、インターネット等の通信網に接続可能に構成されている。
【００２５】
各端末装置は、ＧＰＳ（Global Positioning System）機能を備えており、自装置が存在する位置の緯度・経度の情報等を含む位置情報をＧＰＳ衛星から所定時間隔毎に取得し、通信網を介してサーバ装置１へ送信するように構成されている（図２参照）。
【００２６】
一方、サーバ装置１は、各端末装置から送信されてくる位置情報を受信して取得し、この取得した位置情報に基づいて、各端末装置の位置する地域を判定して、現在各端末装置が何処に存在するかを管理するように構成されている。
【００２７】
そして、この地域情報提供システムＳでは、複数の端末装置間で所望の地域に関する質問とその回答の送受信を、通信網に接続されたサーバ装置１を介して行う。
【００２８】
たとえば、図１に示すように、あるユーザａが所望の地域３（以下、「質問先地域３」という。）に関する情報を知りたい場合、そのユーザａ（以下、「質問者ａ」という。）は、自身の端末装置２ａ（以下、「質問者端末２ａ」という。）を操作して、地図上から選択したエリア情報と、質問先地域３に関して知りたい情報とを記載したメール（以下、「質問メールＭ１」という。）を作成して、サーバ装置１へ送信する。なお、上記エリア情報は、サーバ装置１が質問先地域３を識別するための情報である。
【００２９】
サーバ装置１は、この質問メールＭ１を受信すると、質問メールＭ１に記載されているエリア情報に基づいて、質問先地域３を特定し、その質問先地域３にある他の端末装置（ここでは、端末装置２ｂ、２ｃ）へ質問メールＭ１を送信する。
【００３０】
この質問メールＭ１を受信した端末装置２ｂ、２ｃのユーザｂ、ｃは、その質問に答える場合、自身の端末装置２ｂ、２ｃを操作して、質問に対する回答を記載したメール（以下、「回答メールＭ２」という。）を作成して、サーバ装置１へ送信する。そして、サーバ装置１は、受信した回答メールＭ２を質問者端末２ａに送信する。
【００３１】
こうして、この地域情報提供システムＳでは、質問者ａに質問先地域３に関する所望の情報を提供する。
【００３２】
特に、本実施形態に係るサーバ装置１は、各端末装置毎に、その端末装置が質問メールＭ１を受付ける時間、質問メールＭ１を受付ける質問の内容、質問メールＭ１を受付ける地域等に関する条件（以下、「受付条件」という。）のうち、少なくともいずれか一つの受付条件を記憶する条件情報記憶手段を備えており、質問メールＭ１を受信したときに、質問先地域３に位置する複数の端末装置のうち、この条件情報記憶手段に記憶した受付条件を満たす端末装置２ｂ、２ｃへ質問メールＭ１を送信するように構成している。
【００３３】
そのため、このサーバ装置１は、質問者ａが情報を知りたい質問先地域３にある端末装置のなかでも、質問者ａの質問に回答する可能性が高いユーザｂ、ｃの端末装置に的を絞って、質問者ａからの質問メールＭ１を送信することができるので、質問者端末２ａに、より確実に、質問先地域３に関する所望の情報を送信することができる。
【００３４】
[２．地域情報提供システムの基本動作等]
ここで、本実施形態に係る地域情報提供システムＳの基本動作等について、図２〜図４を参照して説明する。図２は、本実施形態に係るサーバ装置１を介して端末装置間で行われる情報の送受信を示すシーケンス図であり、図３は、本実施形態に係るサーバ装置１のエリアデータベース及びランドマークデータベースを示す説明図であり、図４は、本実施形態に係るサーバ装置１のユーザデータベースを示す説明図である。
【００３５】
ここでは、サーバ装置１を介して、質問者端末２ａと、質問者ａの質問に対して上記受付条件を満たす端末装置として２つの端末装置２ｂ、２ｃ（以下、「受付可能端末２ｂ、２ｃ」という。）との間で行われる情報の送受信を例に挙げて説明する。
【００３６】
図２に示すように、この地域情報提供システムＳにおいて、各端末装置２ａ、２ｂ、２ｃは、サーバ装置１へ定期的に位置情報を送信する（図２に示す（１）参照）。
【００３７】
このとき、各端末装置２ａ、２ｂ、２ｃは、自装置が位置する緯度及び経度を含む位置情報のほか、自装置をサーバ装置１に識別させるためのユーザＩＤ、自装置のＥメールアドレスなどのユーザ情報もサーバ装置１へ送信する。
【００３８】
サーバ装置１は、後述のＨＤＤ１０３（図５参照）内に、各端末装置２ａ、２ｂ、２ｃ毎に位置情報、ユーザ情報及び受付条件の情報を記憶するユーザデータベース（以下、「ユーザＤＢ」という。）と、各エリアのＩＤ（エリアＩＤ）とそのエリアの北西点及び南東点の緯度・経度とを対応付けて記憶したエリアデータベース（以下、「エリアＤＢ」という。）と、各エリアＩＤに対応させて、そのエリアにあるランドマークとを対応付けて記憶したランドマークデータベース（以下、「ランドマークＤＢ」という。）とを備えている。
【００３９】
そして、サーバ装置１は、各端末装置２ａ、２ｂ、２ｃから定期的に送信されてくる位置情報を取得する度に、エリアＤＢに基づいて、各端末装置の存在するエリアに対応するエリアＩＤを判断し、ユーザＤＢを更新する。このユーザＤＢは、図４に示すように、ユーザＩＤ、Ｅメールアドレス、端末装置の存在するエリアのエリアＩＤ、受付条件の情報とが関連づけられて記憶されるものであり、図４に示す例では、ユーザＩＤが「７７７」、Ｅメールアドレスが「taro＠brother．co．jp」、エリアＩＤが「１２３」、さらに、受付条件を示す情報として、質問受信の可否設定が「可」、この端末装置が回答を受付ける地域に対応するエリアＩＤが「１２４」、質問を受付ける時間が１８：００〜２１：００、受付ける質問のカテゴリーが「飲食店」又は「宿泊施設」という情報がそれぞれ記憶されていることを示している。
【００４０】
サーバ装置１は、順次このユーザＤＢを更新することによって、現在各端末装置が、何処の地域に位置しているのかを管理している。
【００４１】
また、各ユーザａ、ｂ、ｃは、当該地域情報提供システムＳを最初に利用するときに、自身の端末装置を操作して、このサーバ装置１にアクセスして、ユーザ登録を行い、その際、所定の欄に、その端末装置が質問メールＭ１の受信を許可するか否かを示す情報、質問メールＭ１を受付ける時間、質問メールＭ１を受付ける質問のカテゴリー、質問メールＭ１を受付ける地域のエリアＩＤ又はランドマークＩＤ等を記入することにより、自装置に関する受付条件を設定する。
【００４２】
また、受付条件を変更する場合、ユーザは、各受付条件を記載したメールを作成して、そのメールをサーバ装置１へ送信することにより、受付条件の設定変更を行う。
【００４３】
また、サーバ装置１は、エリアＤＢを作成する際、図３に示すように、地域を格子状の複数のエリアに分割し、各エリア毎にそれぞれ固有のエリアＩＤを割り当てる。このサーバ装置１では、分割するエリアの広さを任意に設定できるようにしている。また、このように設定したエリア毎にランドマークＩＤを設定するようにして、ランドマークＤＢを作成するようにしている。
【００４４】
例えば、サーバ装置１の管理者が、エリアの範囲（例えば、２０ｋｍ２の範囲）を指定すると、図３に示すように、サーバ装置１は、指定されたエリア範囲の単位で格子状にエリアを区切って複数のエリアを生成しエリアＤＢを作成する。
【００４５】
また、サーバ装置１は、地図データベース（図示略）から、上記作成したエリアの範囲にある、ランドマークとなる情報（例えば、駅、ホテル、ビル、地名など）を抽出し、エリアＩＤと関連付けてランドマークＤＢを作成する。
【００４６】
図３では、一例として愛知県名古屋市付近の情報が図示されたエリアＤＢとランドマークＤＢとを示している。
【００４７】
この図３に示す例では、サーバ装置１は、名古屋市付近の北西点の緯度１３６．８°、経度３５．０°と南東点１３７．５°の緯度、経度３４．５°とをエリアＩＤに関連づけてエリアＤＢに記憶し、この地域のランドマークとして、名古屋駅（ランドマークＩＤ：ＮＧＹＳＴ）を記憶している。
【００４８】
そして、サーバ装置１は、質問者端末２ａから質問メールＭ１を受信すると（図２に示す（２）参照）、その質問メールＭ１に記載のエリア情報に基づいて、質問先地域３を決定する。
【００４９】
例えば、サーバ装置１が受信したエリア情報がランドマークＩＤやエリアＩＤの場合、エリアＤＢやランドマークＤＢに基づいて、質問先地域３を決定する。また、サーバ装置１が受信したエリア情報が緯度・経度情報等である場合には、その緯度・経度情報等に基づいて、質問先地域３を決定する。このように質問先地域を特定することができることから、質問者からの質問を送信する地域を柔軟に設定することができる。
【００５０】
例えば、この緯度・経度情報が、質問先地域３を指定するための北西点及び南東点の緯度・経度の情報である場合、特定の一つの地点の緯度・経度の情報とそこからの距離の情報（例えば、１００ｍ２範囲）とが含まれる情報である場合、或いはランドマークの情報とそこからの距離の情報とが含まれる情報である場合には、サーバ装置１は、同様にユーザＤＢによらず、ユーザが質問メールＭ１に記載した質問先地域３を指定するためエリア情報に基づいて質問先地域３を決定する。このように、ユーザが指定する所望の地域を、質問メールＭ１の送信先として柔軟且つ的確に決定することができ、こうして決定した質問先地域３に位置する端末装置の中から質問メールＭ１を送信する端末装置を選択することができる
また、このサーバ装置１は、受信した質問メールＭ１に、回答メールＭ２を受付ける締め切り時刻を指定する情報が含まれていた場合、その指定された時刻を回答メールＭ２の締め切り時刻として設定し、締め切り時刻を指定する情報が含まれていかった場合には、当該サーバ装置１に予め登録されている時間（例えば、１０分）に基づいて締め切り時刻（例えば、質問メールＭ１を送信してから１０分後の時刻）を設定する。
【００５１】
その後、サーバ装置１は、質問メールＭ１に記載のエリア情報に基づいて決定した質問先地域３に位置する受付条件を満たす受付可能端末２ｂ、２ｃへ質問メールＭ１を送信する（図２に示す（４）参照）。
【００５２】
このように、本実施形態のサーバ装置１は、質問者ａの質問に回答できる可能性が高いユーザｂ、ｃの端末装置２ｂ、２ｃに対して、選択的に質問メールＭ１を送信するので、質問者ａが回答メールＭ２を受信する確率を可及的に向上させることができる。
【００５３】
また、このサーバ装置１では、受付可能端末２ｂ、２ｃへ質問メールＭ１を送信する前に、受付可能端末２ｂ、２ｃの台数（ここでは、受付可能端末２ｂ、２ｃが２台である）を質問者端末２ａへ通知するようにしている（図２に示す（３）参照）。
【００５４】
そのため、この地域情報提供システムＳでは、質問者ａに自身が作成した質問メールＭ１が、どれくらいの人に通知されるのかを把握させることができ、これにより、質問者ａは、サーバ装置１から通知される受付可能端末２ｂ、２ｃの台数から、返信される回答メールＭ２の数を容易に予測することができるので、質問メールＭ１を送信してから回答メールＭ２を受信するまでの不安感が低減される。
【００５５】
その後、サーバ装置１は、受付可能端末２ｂ、２ｃから質問に対する回答メールＭ２を受信すると（図２に示す（５）参照）、その回答メールＭ２を質問者端末２ａへ送信する（図２に示す（６）参照）。
【００５６】
このとき、サーバ装置１は、設定した締め切り時刻よりも前に受信した回答メールＭ２のみを質問者端末２ａへ送信するようにしており、この締め切り時刻を超えて送信されてきた回答メールＭ２に関しては、受信しても質問者端末２ａへ送信しないようにしている。
【００５７】
このように、本実施形態のサーバ装置１では、回答メールＭ２の受付可能時刻を超えた回答メールＭ２については、その回答メールＭ２を受信しても質問者端末２ａへ送信しないようにしているため、時期を逸した不要な回答メールＭ２が質問者端末２ａへ送信されることを防止することができる。
【００５８】
[３．サーバ装置の電気的構成等]
次に、上記した地域情報提供システムＳにおけるサーバ装置１の電気的構成等について説明する。
【００５９】
図５は、サーバ装置１の電気的構成を示す説明図である。サーバ装置１は、専用のコンピュータの他、汎用のサーバコンピュータを適用可能であり、図５に示すように、制御部１０１と、質問者からの質問や回答者からの回答の情報等を記憶する書き換え可能な記憶部１０２と、前述のエリアＤＢ、ランドマークＤＢ、ユーザＤＢ等を記憶する条件情報記憶手段としてのハードディスク（ＨＤＤ）１０３と、現在の各端末装置ユーザＤＢの内容等を後述の表示部１０７で表示可能な情報に変換処理する映像処理部１０６と、この映像処理部１０６からの出力に基づいて映像を表示する液晶表示装置（ＬＣＤ）等の表示部１０７と、マウス及びキーボードなどからなる入力部１１０と、端末装置２と通信するための通信部１１３とを備えている。なお、制御部１０１、記憶部１０２、ハードディスク１０３、通信部１１３、映像処理部１０６は、システムバス１２０を介して相互に接続されている。
【００６０】
制御部１０１は、ＣＰＵ（Central Processing Unit）、不揮発性メモリ及びＲＡＭ（Random Access Memory）から構成される。この不揮発性メモリには、質問者端末２ａからの質問メールＭ１を受信して、その質問メールＭ１に対応する質問先地域３にある受付可能端末２ｂ、２ｃへ質問を送信する質問・回答転送処理等を行うための情報処理プログラムが格納されており、ＣＰＵは不揮発性メモリに記憶されている情報処理プログラムを読み出して実行することによって、後述の取得手段、判定手段、質問処理手段、回答処理手段等として機能する。
【００６１】
なお、この情報処理プログラムは、例えば、当該サーバ装置１に接続された他のサーバから、通信部１１３を介して、制御部１０１内部の不揮発性メモリにダウンロードされるようにしてもよく、又ＣＤ−ＲＯＭ等の記録媒体に記録されてから図示しない記録媒体ドライブを介して、制御部１０１内部の不揮発性メモリに読み込まれるようにしてもよい。
【００６２】
また、ＨＤＤ１０３は、他の端末装置からの質問に対する受付時刻、質問の内容及び質問の受付地域に関する条件のうち少なくともいずれか一つの条件の情報を記憶する条件情報記憶手段として機能する。
【００６３】
[４．サーバ装置の制御部が実行する処理]
以上のように構成されたサーバ装置１の動作の一例について、図６〜図１２を参照して具体的に説明する。図６〜図１２は、本実施形態のサーバ装置の制御部が実行する処理を示すフローチャートである。なお、ここでは、質問者端末から送信される質問メールに記載されるエリア情報がエリアＩＤ又はランドマークＩＤであるときの処理について説明することとする。
【００６４】
なお、以下の各処理は、サーバ装置１の制御部１０１が上述した各手段等として機能することによって実行されるものである。ここでは、本発明の要部である質問・回答転送処理に関連する処理のみ説明することとする。
【００６５】
[４．１．位置情報取得処理]
まず、サーバ装置１の制御部１０１が実行する位置情報取得処理について、図６を参照して説明する。サーバ装置１の制御部１０１は、電源が投入されると、図示しないメイン処理を実行し、そのメイン処理内で繰り返し実行される処理として、この位置情報取得処理を実行する。
【００６６】
制御部１０１は、端末装置からユーザ情報や位置情報（緯度及び経度）を含む端末情報を受信すると、図６に示すように、この端末情報からユーザＩＤを取得する処理を行い（ステップＳ０１）、その後、処理をステップＳ０２へ移す。
【００６７】
次に、ステップＳ０２において制御部１０１は、端末装置が送信した端末情報からその端末装置が位置する地点の緯度及び経度を取得する処理を行い、その後、処理をステップＳ０３へ移す。このように、制御部１０１は、各端末装置の位置の情報を通信網を介して各端末装置から定期的に取得する取得手段として機能する。
【００６８】
次に、ステップＳ０３において制御部１０１は、ステップＳ０２で取得した緯度及び経度と、ＨＤＤ１０３に記憶しているエリアＤＢとに基づいて、位置情報を送信してきた端末装置のユーザが存在するエリアを計算する処理を行い、その後、処理をＳ０４へ移す。このように、制御部１０１は、取得手段により取得した位置の情報に基づいて、各端末装置が位置する地域を判定する判定手段として機能する。
【００６９】
次に、ステップＳ０４において制御部１０１は、受信した端末情報から、端末装置の受付条件として、質問メールの受信可否に関する質問受付可否情報と、質問メールを受付ける地域に対応するエリアＩＤと、質問を受付ける時間帯を示す受付時間情報と、質問メールを受付可能な質問のカテゴリーを示す情報とを取得する処理を行い、その後、処理をステップＳ０５へ移す。
【００７０】
次に、ステップＳ０５において制御部１０１は、取得した端末装置の位置情報に基づいて、ユーザＤＢを更新する処理を行い、その後、この位置情報取得処理を終了する。
【００７１】
[４．２．質問・回答転送処理]
次に、サーバ装置１の制御部１０１が実行する質問・回答転送処理について、図７を参照して説明する。サーバ装置１の制御部１０１は、前述の位置情報取得処理と並行して、質問・回答転送処理を繰り返し実行する。この質問・回答転送処理は、端末装置から質問メール又は回答メールを受信したときに行われる処理である。
【００７２】
図７に示すように、この質問・回答転送処理において、制御部１０１は、まず、受信したメールが質問メールであるか否かの判断を行い（ステップＳ１１）、受信したメールが質問メールである場合に（ステップＳ１１：Ｙｅｓ）、処理をステップＳ１２へ移す。
【００７３】
一方、サーバ装置１は、受信したメールが質問メールでないと判断した場合に（ステップＳ１１：Ｎｏ）、処理をステップＳ１９へ移す。
【００７４】
ステップＳ１２において制御部１０１は、受信した質問メールから、質問先地域３に関するエリア情報や質問内容のカテゴリー等の項目（以下、「質問項目」という。）を抽出する質問項目の抽出処理を行い、その後、処理をステップＳ１３へ移す。この質問項目の抽出処理については、後に詳述する。
【００７５】
次に、ステップＳ１３において制御部１０１は、質問の受付が可能な受付可能端末２を抽出する受付可能端末の抽出処理を行い、その後、処理をステップＳ１４へ移す。この受付可能端末の抽出処理については、後に詳述する。
【００７６】
次に、ステップＳ１４において制御部１０１は、受付可能端末が存在するか否かの判断を行い、存在すると判断した場合に（ステップＳ１４：Ｙｅｓ）、処理をステップＳ１５へ移す。
【００７７】
一方、制御部１０１は、受付可能端末が存在しないと判断した場合に（ステップＳ１４：Ｎｏ）、質問者端末へ受付可能端末が存在しないことを通知する処理を行い（ステップＳ１８）、その後、この質問・回答転送処理を終了する。
【００７８】
ここで、制御部１０１は、後述のステップＳ３２（図８参照）で取得した質問者端末のＥメールアドレスを宛先に指定して、受付可能端末が存在しない旨を記載したメールを質問者端末へ送信することにより、質問者へ受付可能端末が存在しないことを通知する。
【００７９】
次に、ステップＳ１５において制御部１０１は、受付可能端末の台数を質問者端末へ通知する処理を行い、その後、処理をステップＳ１６へ移す。
【００８０】
ここで、制御部１０１は、後述のステップＳ３２（図８参照）で取得した質問者端末のＥメールアドレスを宛先に指定して、受付可能端末の台数を記載したメールを質問者端末へ送信することにより、質問者へ受付可能端末の台数を通知する。
【００８１】
次に、ステップＳ１６において制御部１０１は、受付可能端末へ質問メールを送信する処理を行い、その後、処理をステップＳ１７へ移す。
【００８２】
ここで、制御部１０１は、ユーザＤＢを参照し、ステップＳ１３で抽出した受付可能端末のＥメールアドレスを宛先に指定して、受付可能端末へ質問メールを送信する。すなわち、ユーザＤＢに、受信可否の条件が「可」であり、質問者端末から送信される質問メールの質問先地域が質問メールを受付可能な地域として含まれ、その質問の内容が受付可能な内容として含まれ、その質問メールを受信した時刻が受付可能な時間に含まれる受付条件を有する端末装置を受付可能端末として決定する。例えば、ユーザＤＢが図４に示すような状態のとき、質問メールに含まれる質問項目に関し、質問先地域のエリアＩＤが「１２４」、サーバ装置１での質問メールの受信時刻が「１９：２０」、質問の内容が「飲食店」である場合には、「taro@brother.co.jp」を受付可能端末のＥメールアドレスと判断する。
【００８３】
このように、制御部１０１は、一の端末装置から所望の地域に関する質問を受信したとき、所望の地域に位置する他の端末装置のうち、条件情報記憶手段に記憶した条件を満たす端末装置に対して質問を送信する質問処理手段として機能する。
【００８４】
次に、ステップＳ１７において制御部１０１は、受付可能端末からの回答メールの受付可能時間を計測するための締め切り時間計測用タイマ（図示略）をスタートさせる処理を行い、その後、この質問・回答転送処理を終了する。このとき、制御部１０１は、ＣＰＵの動作クロックを締め切り時間計測用タイマとして使用し、回答メールの受付可能時間を計測する。
【００８５】
また、制御部１０１は、ステップＳ１９において、受信したメールが受付可能端末からの回答メールであるか否かの判断を行い、回答メールではないと判断した場合に（ステップＳ１９：Ｎｏ）、処理をステップＳ２０へ移す。
【００８６】
一方、制御部１０１は、受信したメールが回答メールである判断した場合に（ステップＳ１９：Ｙｅｓ）、処理をステップＳ２１へ移す。
【００８７】
次に、ステップＳ２０において制御部１０１は、受付可能端末数の増減に対処する処理を行い、その後、この質問・回答転送処理を終了する。この受付可能端末数の増減に対処する処理については、後に詳述する。
【００８８】
次に、ステップＳ２１において制御部１０１は、締め切り時間計測用タイマを参照して、締め切り時刻を経過したか否かの判断を行い、経過したと判断した場合に（ステップＳ２１：Ｙｅｓ）、回答メールの受付けに関する締め切り時刻を経過したことを質問者端末へ通知する処理を行い（ステップＳ２２）、この質問・回答転送処理を終了する。
【００８９】
ここで、制御部１０１は、後述のステップＳ３２（図８参照）で取得した質問者端末のＥメールアドレスを宛先に指定して、質問メールの受付時間が終了した旨を記載したメールを質問者端末へ送信することにより、質問者へ回答メールの受付けに関する締め切り時刻を経過したことを通知する。
【００９０】
一方、制御部１０１は、締め切り時刻を経過していないと判断した場合に（ステップＳ２１：Ｎｏ）、質問者端末へ回答メールを送信する処理を行い（ステップＳ２３）、この質問・回答転送処理を終了する。
【００９１】
ここで、制御部１０１は、後述のステップＳ３２（図８参照）で取得した質問者端末のＥメールアドレスを宛先に指定して、回答メールを質問者端末へ送信する。
【００９２】
このように、制御部１０１は、質問に対する他の端末装置からの回答を受信したとき、この回答を、質問送信してきた一の端末装置へ送信する回答処理手段として機能することになる。
【００９３】
[４．３．質問事項の抽出処理]
次に、図７に示す質問・回答転送処理中のステップＳ１２において実行される質問事項の抽出処理について、図８を参照して説明する。
【００９４】
図８に示すように、この質問事項の抽出処理において、制御部１０１は、まず、質問者端末から受信した質問メールから、質問者端末のユーザＩＤを取得する処理を行い（ステップＳ３１）、その後、処理をステップＳ３２へ移す。
【００９５】
次に、ステップＳ３２において制御部１０１は、質問者端末から受信した質問メールから、質問者端末のアドレスを取得する処理を行い、その後、処理をステップＳ３３へ移す。ここで、制御部１０１は、取得するアドレスとして、質問者端末のＥメールアドレスを取得することになる。
【００９６】
次に、ステップＳ３３において制御部１０１は、質問先地域のエリアＩＤを求める処理を行い、その後、処理をステップＳ３４へ移す。このエリアＩＤを求める処理については、後に詳述する。
【００９７】
次に、ステップＳ３４において制御部１０１は、質問者端末から受信した質問メールから、質問内容のカテゴリーに関する情報を取得する処理を行い、その後、処理をステップＳ３５へ移す。
【００９８】
次に、ステップＳ３５において制御部１０１は、質問の受付を締め切る時刻を設定する締め切り時刻設定処理を行い、その後、この質問事項の抽出処理を終了する。この締め切り時刻設定処理については、後に詳述する。
【００９９】
[４．４．エリアＩＤを求める処理]
次に、図８に示す質問項目の抽出処理中のステップＳ３３において実行されるエリアＩＤを求める処理について、図９を参照して説明する。
【０１００】
図９に示すように、このエリアＩＤを求める処理において、制御部１０１は、質問先地域３が緯度と経度とにより指定されているか否かの判断を行い（ステップＳ５１）、緯度と経度により指定されていると判断した場合に（ステップＳ５１：Ｙｅｓ）、処理をステップＳ５３へ移す。一方、制御部１０１は、質問先地域３が緯度と経度とにより指定されていないと判断した場合に（ステップＳ５１：Ｎｏ）、処理をステップＳ５２へ移す。
【０１０１】
ステップＳ５２において制御部１０１は、ランドマークＤＢを参照して、質問メールに記載のランドマークＩＤに対応するエリアＩＤを検索することにより、エリアＩＤを求め、その後、このエリアＩＤを求める処理を終了する。
【０１０２】
また、ステップＳ５３において制御部１０１は、質問メールに記載の質問先地域３の北西点及び南東点の緯度・経度に基づいて、地域を格子状に区切って複数のエリアを生成し、各エリア毎にエリアＩＤを割り当てることによって、質問先地域３に対応するエリアＩＤを求め、その後、このエリアＩＤを求める処理を終了する。
【０１０３】
[４．５．締め切り時刻設定処理]
次に、図８に示す質問項目の抽出処理中のステップＳ３５において実行される締め切り時刻設定処理について、図１０を参照して説明する。
【０１０４】
図１０に示すように、この締め切り時刻設定処理において制御部１０１は、質問者端末から回答メールの受付けに関して、締め切り時刻の指定があるか否かの判断を行い（ステップＳ６１）、指定があると判断した場合に（ステップＳ６１：Ｙｅｓ）、処理をステップＳ６３へ移す。一方、制御部１０１は、締め切り時刻の指定が無いと判断した場合に（ステップＳ６１：Ｎｏ）、処理をステップＳ６２へ移す。
【０１０５】
ステップＳ６２において制御部１０１は、締め切り時刻を当該サーバ装置１に予め登録されている固定値に設定する処理を行い、その後、この締め切り時刻設定処理を終了する。
【０１０６】
また、ステップＳ６３において制御部１０１は、締め切り時刻を質問者端末から指定された値に設定する処理を行い、その後、この締め切り時刻設定処理を終了する。
【０１０７】
[４．６．受付可能端末の抽出処理]
次に、図７に示す質問・回答転送処理中のステップＳ１３において実行される受付可能端末の抽出処理について、図１１を参照して説明する。
【０１０８】
図１１に示すように、この受付可能端末の抽出処理において制御部１０１は、ユーザＤＢを参照して、質問先地域３のエリアＩＤとエリアＩＤが一致する地域にある端末装置を抽出する処理を行い（ステップＳ４１）、その後、処理をステップＳ４２へ移す。
【０１０９】
次に、ステップＳ４２において制御部１０１は、ユーザＤＢを参照して、ステップＳ４１で抽出した端末装置の中から、受付条件を満たす受付可能端末を抽出する処理を行い、その後、この受付可能端末の抽出処理を終了する。
【０１１０】
[４．７．受付可能端末数の増減に対処する処理]
次に、図７に示す質問・回答転送処理中のステップＳ２０において実行される受付可能端末数の増減に対処する処理について、図１２を参照して説明する。
【０１１１】
図１２に示すように、この受付可能端末数の増減に対処する処理において、制御部１０１は、受付可能端末の抽出処理を行い（ステップＳ７１）、その後、処理をステップＳ７２へ移す。ここで、制御部１０１は、図９に示した受付可能端末の抽出処理と同一の処理を実行する。
【０１１２】
次に、ステップＳ７２において制御部１０１は、受付可能端末が存在するか否かの判断を行い、存在すると判断した場合に（ステップＳ７２：Ｙｅｓ）、処理をステップＳ７３へ移し、存在しないと判断した場合に（ステップＳ７２：Ｎｏ）、処理をステップＳ７５へ移す。
【０１１３】
ステップＳ７５において制御部１０１は、質問者端末へ受付可能端末が存在しないことを一度も通知していないか否かの判断を行う。このステップＳ７５の判断を行うために、制御部１０１は、ステップＳ１８，Ｓ７６にて通知したことを質問メール毎に記憶している。そして、制御部１０１は、質問者端末へ受付可能端末が存在しないことを一度も通知していないと判断した場合に（ステップＳ７５：Ｙｅｓ）、処理をステップＳ７６へ移し、一度以上通知したと判断した場合に（ステップＳ７５：Ｎｏ）、処理をステップＳ７３へ移す。
【０１１４】
ステップＳ７６において制御部１０１は、質問者端末へ受付可能端末が存在しないことを通知する処理を行い、その後、処理をステップＳ７３へ移す。
【０１１５】
ここで、制御部１０１は、ステップＳ３２（図８参照）で取得した質問者端末のＥメールアドレスを宛先に指定して、受付可能端末が存在しない旨を記載したメールを質問者端末へ送信することにより、質問者へ受付可能端末存在しないことを通知する。
【０１１６】
ステップＳ７３において制御部１０１は、受付可能端末のなかで、未だ質問メールを送信していない端末装置（以下、「質問未送信端末」という。）が存在するか否かの判断を行う。このステップＳ７３の判断を行うために、制御部１０１は、ステップＳ１６にて質問メールを送信した端末装置を記憶している。そして、制御部１０１は、質問未送信端末が存在すると判断した場合に（ステップＳ７３：Ｙｅｓ）、処理をステップＳ７４へ移し、存在しないと判断した場合に（ステップＳ７３：Ｎｏ）、この受付可能端末数の増減に対処する処理を終了する。
【０１１７】
ステップＳ７４において制御部１０１は、質問未送信端末へ質問メールを送信する処理を行い、その後、この受付可能端末数の増減に対処する処理を終了する。ここで、制御部１０１は、ユーザＤＢを参照して、ステップＳ７３で存在を確認した質問未送信端末のＥメールアドレスを検索し、そのＥメールアドレスを宛先に指定して質問メールを送信する。
【０１１８】
このように、本実施形態の地域情報提供システムＳでは、質問者が質問先地域３を指定する情報として、エリアＩＤやランドマークＩＤなどを記載した質問メールを送信してきた場合、エリアＤＢやランドマークＤＢに基づいて質問先地域３を決定することができ、また、当該質問先地域３の北西点及び南東点の緯度・経度等のエリア情報を記載した質問メールを送信してきた場合、サーバ装置１は、その緯度・経度等に基づいて、質問先地域３を決定することができるので、質問者からの質問を送信する地域を、質問者の要求に応じて柔軟に設定することができる。
【０１１９】
また、本実施形態のサーバ装置１は、地域情報提供システムＳを利用している各端末装置の所在位置に関する情報と、各端末装置の各種受付条件とを、各端末装置毎に記憶したユーザＤＢを備えており、質問者端末から質問メールを受信したときには、質問先地域３にある任意の端末装置へ質問メールを送信するのではなく、ユーザＤＢを参照して、受付条件を満たしている質問に回答する可能性の高い特定の受付可能端末へ、選択的に質問メールを送信するので、回答メールを受信する確率を高めることができ、その結果、より確実に質問者へ所望の情報を提供することができる。
【０１２０】
また、この地域情報提供システムＳでは、各端末装置のユーザが、質問メールを受付可能な時間帯や、質問メールを受付可能な質問のカテゴリー、質問メールを受付可能な地域等を自身で設定することができるので、例えば、ユーザが仕事中や勉強中等、質問メールＭ１を受け付けたくない時間帯や場所にいるときには、そのユーザの端末装置に質問メールが送信されないので、ユーザに不快感を与えることがない。
【０１２１】
なお、上記実施形態では、各端末装置のユーザが、質問メールを受付可能な時間帯や、質問メールを受付可能な質問のカテゴリー、質問メールを受付可能な地域等を自身で設定するように構成したが、逆に、質問メールを受付ない時間帯、質問メールを受付けない質問の内容、質問メールを受付けない地域等を、各ユーザが設定するように構成してもよく、これらの情報を組み合わせてもよい。
【０１２２】
このように構成することによっても、同様に回答者に不快感を与えることが無くなるので、ユーザにサービスの参加を促すことができる。
【０１２３】
また、上記実施形態では、サーバ装置１が質問者端末と受付可能端末との間で、質問メールと回答メールとを転送することにより、質問者と回答者の間で質問とその回答とを送受信を行わせるように構成したが、質問及び回答の送受信は、メール以外を用いて行う構成としてもよい。
【０１２４】
たとえば、地域情報提供システムＳのユーザが質問やその質問に対する回答を書き込み可能な複数の電子掲示板（ＢＢＳ：Bulletin Board System）をインターネット上に公開する所定のサーバ（以下、「ＢＢＳサーバ」という。）をさらに設け、上記実施形態のサーバ装置１が、質問者端末から受信した質問の内容をＢＢＳサーバに送信し、ＢＢＳサーバに記憶した質問の閲覧先情報（ＵＲＬなどのアドレス）をＢＢＳサーバから取得して、受付可能端末へ送信することによって質問の送信を行い、受付可能端末から質問に対する回答を受信したＢＢＳサーバから通知される質問に対する回答の閲覧先情報（ＵＲＬなどのアドレス）を受信したときに、その回答の閲覧先情報を質問者端末へ送信することによって回答の送信を行うように構成する。
【０１２５】
このように地域情報提供システムＳを構成することにより、サーバ装置１は、質問の内容と、質問及び回答の閲覧情報という比較的情報量の少ない情報だけを送受信するだけで済むため、当該サーバ装置１の処理負荷を可及的に低減することができる。
【０１２６】
また、このように地域情報提供システムＳを構成する場合にも、サーバ装置１は、質問の閲覧情報を送信する端末装置を選択する際、上記質問メールの受付可能端末を選択するときと同様に、受付条件を満たす端末装置を閲覧情報を送信する端末装置として選択するため、質問者ａが回答の閲覧情報を受信する可能性を可及的に向上させることができる。
【０１２７】
また、端末装置がノート型のパーソナルコンピュータのような携帯端末である場合、当該端末装置のＩＰアドレスもユーザＤＢに記憶しておき、Ｅメールを用いずに、ＩＰアドレスを指定してＩＰネットワーク（Internet Protocol Network）経由で質問及び回答の送受信を行うようにしてもよい。この場合、端末装置はサーバ装置１のＩＰアドレスを指定して質問を送信することになる。
【図面の簡単な説明】
【０１２８】
【図１】本実施形態に係る地域情報提供システムを示す説明図である。
【図２】本実施形態に係るサーバ装置を介して端末装置間で行われる質問及び回答の送受信を示すシーケンス図である。
【図３】本実施形態に係るサーバ装置のエリアデータベース及びランドマークデータベースを示す説明図である。
【図４】本実施形態に係るサーバ装置のユーザデータベースを示す説明図である。
【図５】本実施形態のサーバ装置の電気的構成を示す説明図である。
【図６】本実施形態のサーバ装置の制御部が実行する処理を示すフローチャートである。
【図７】本実施形態のサーバ装置の制御部が実行する処理を示すフローチャートである。
【図８】本実施形態のサーバ装置の制御部が実行する処理を示すフローチャートである。
【図９】本実施形態のサーバ装置の制御部が実行する処理を示すフローチャートである。
【図１０】本実施形態のサーバ装置の制御部が実行する処理を示すフローチャートである。
【図１１】本実施形態のサーバ装置の制御部が実行する処理を示すフローチャートである。
【図１２】本実施形態のサーバ装置の制御部が実行する処理を示すフローチャートである。
【符号の説明】
【０１２９】
Ｓ  地域情報提供システム
１  サーバ装置
２ａ  質問者端末
２ｂ、２ｃ  受付可能端末
Ｍ１  質問メール
Ｍ２  回答メール
【図１】
2009088711.tif 000003
【図２】
2009088711.tif 000004
【図３】
2009088711.tif 000005
【図４】
2009088711.tif 000006
【図５】
2009088711.tif 000007
【図６】
2009088711.tif 000008
【図７】
2009088711.tif 000009
【図８】
2009088711.tif 000010
【図９】
2009088711.tif 000011
【図１０】
2009088711.tif 000012
【図１１】
2009088711.tif 000013
【図１２】
2009088711.tif 000014